(57)【要約】【課題】他の無線通信装置が通信中であっても、緊急を要する場合はデータを送信することのできる生体情報測定装置を提供する。【解決手段】生体情報を算出する生体情報算出部２１と、生体情報算出部２１で算出した測定値を医療機器に送信する送信部２２と、生体情報算出部２１からのステータス情報を受信する受信部２３とを備え、送信部２２は、他に無線通信を行っている生体情報測定装置が存在すると判定した時に、前記生体情報の測定値が異常値であれば、前記測定値を医療機器に送信する際の無線送信時間より長い時間、通信中断コマンドを繰り返し送信する。【選択図】図１
2009150751.tif 000002
【特許請求の範囲】
【請求項１】
生体情報を算出する生体情報算出部と、
前記生体情報算出部で算出した測定値を医療機器に送信する送信部と、
前記生体情報算出部からのステータス情報を受信する受信部とを備え、
前記送信部は、他に無線通信を行っている生体情報測定装置が存在すると判定した時に、前記生体情報の測定値が異常値であれば、前記測定値を医療機器に送信する際の無線送信時間より長い時間、通信中断コマンドを繰り返し送信することを特徴とする生体情報測定装置。
【請求項２】
前記送信部は前記通信中断コマンドを繰り返し送信した後、前記受信部に対して周辺の環境に存在する電波を測定するようにコマンドを発行し、前記受信部が無線通信している生体情報測定装置が存在すると判定した時、前記送信部は無線通信をしている装置が無線通信を中断または終了するまで前記通信中断コマンドの送信と周辺の環境に存在する電波の受信を繰り返すことを特徴とする請求項１に記載の生体情報測定装置。
【請求項３】
前記送信部は前記通信中断コマンドを繰り返し送信した後、前記受信部に対して周辺の環境に存在する電波を測定するようにコマンドを発行し、前記受信部が無線通信している生体情報測定装置が存在しないと判定した時、前記送信部は、前記生体情報の測定値を前記医療機器に送信することを特徴とする請求項１に記載の生体情報測定装置。
【請求項４】
前記送信部は、他に無線通信を行っている生体情報測定装置が存在すると判定した時に、前記生体情報の測定値が正常値であれば、前記無線通信が終了するのを待って、前記生体情報の測定値を前記医療機器に送信することを特徴とする請求項１に記載の生体情報測定装置。
【請求項５】
前記送信部は、前記通信中断コマンドによって転送を中断された時、前記医療機器から現在通信を行っている生体情報測定装置に対する無線通信の完了通知を受信すると、中断した無線通信を再開することを特徴とする請求項１に記載の生体情報測定装置。
【請求項６】
前記送信部は、前記異常値の測定結果を前記医療機器に送信した後、無線通信を中断させた生体情報測定装置に対し、通信再開コマンドを送信することを特徴とする請求項１に記載の生体情報測定装置。
【発明の詳細な説明】
【技術分野】
【０００１】
本発明は、生体情報測定装置に関し、より詳細には、複数の生体情報測定装置が存在する時に無線通信を行う技術に関する。
【背景技術】
【０００２】
従来の複数台の無線端末間通信装置の無線通信によるデータの送信方法について説明する。
図８は、従来の無線通信端末の無線通信の様子を示す。図８において、無線通信端末１００ａが無線通信端末１００ｂに対し、データ１１０を送信したい場合に、無線通信端末１００ａは無線通信端末１００ｂおよび無線通信端末１００ｃに対し送信を禁止する送信禁止コマンドを送信する。そして、送信禁止コマンドを受信した無線通信端末１００ｂおよび無線通信端末１００ｃは送受信が可能な状態から受信のみ可能な状態に切り替わる。
【０００３】
そして、無線通信端末１００ａが無線通信端末１００ｂに対しデータを送信し、送信を終えた後に無線通信端末１００ｂおよび無線通信端末１００ｃに対し送信禁止を解除する送信禁止解除コマンド（図示なし）を送信する。そして、送信禁止解除コマンドを受信した無線通信端末１００ｂおよび無線通信端末１００ｃは受信のみ可能な状態から送受信が可能な状態に切り替わる。したがって、１台の無線通信端末が送信を開始すると、他の無線通信端末の送信を禁止することで、電波の混信を回避した複数の無線通信端末の通信を実現している（例えば、特許文献１参照）。
【特許文献１】特開平５−３４７７号公報
【発明の開示】
【発明が解決しようとする課題】
【０００４】
しかしながら、前記従来の構成では、複数台の無線通信端末の中で、１台の無線通信端末（例えば、１００ａ）がデータ送信を開始すると、他の無線通信端末（例えば、１００ｂ、１００ｃ）はデータ送信ができない状態になる。そのため、１台の無線通信端末１００ａがデータ送信を行っている最中に他の無線通信端末が直ちに送信しなければならない場合であっても、他の無線通信端末は無線通信中の無線通信端末から通信禁止解除コマンドを受信するまでデータ送信を待機させられるという課題を有していた。
【０００５】
本発明は、前記従来の課題を解決するもので、複数台の無線通信装置の無線通信において、緊急に送信を要するデータの無線通信を早急に行うことができる生体情報測定装置を提供することを目的とする。
【課題を解決するための手段】
【０００６】
前記従来の課題を解決するために、本発明の生体情報測定装置は、生体情報を算出する生体情報算出部と、前記生体情報算出部で算出した測定値を医療機器に送信する送信部と、前記生体情報算出部からのステータス情報を受信する受信部とを備え、前記送信部は、他に無線通信を行っている生体情報測定装置が存在すると判定した時に、前記生体情報の測定値が異常値であれば、前記測定値を医療機器に送信する際の無線送信時間より長い時間、通信中断コマンドを繰り返し送信することを特徴とするものである。
【０００７】
さらに生体情報測定装置において、前記送信部は前記通信中断コマンドを繰り返し送信した後、前記受信部に対して周辺の環境に存在する電波を測定するようにコマンドを発行し、前記受信部が無線通信している生体情報測定装置が存在すると判定した時、前記送信部は無線通信をしている装置が無線通信を中断または終了するまで前記通信中断コマンドの送信と周辺の環境に存在する電波の受信を繰り返すことを特徴とするものである。
【０００８】
さらに生体情報測定装置において、前記送信部は前記通信中断コマンドを繰り返し送信した後、前記受信部に対して周辺の環境に存在する電波を測定するようにコマンドを発行し、前記受信部が無線通信している生体情報測定装置が存在しないと判定した時、前記送信部は、前記生体情報の測定値を前記医療機器に送信することを特徴とするものである。
【０００９】
さらに生体情報測定装置において、前記送信部は、他に無線通信を行っている生体情報測定装置が存在すると判定した時に、前記生体情報の測定値が正常値であれば、前記無線通信が終了するのを待って、前記生体情報の測定値を前記医療機器に送信することを特徴とするものである。
【００１０】
さらに生体情報測定装置において、前記送信部は、前記通信中断コマンドによって転送を中断された時、前記医療機器から現在通信を行っている生体情報測定装置に対する無線通信の完了通知を受信すると、中断した無線通信を再開することを特徴とするものである。
【００１１】
さらに生体情報測定装置において、前記送信部は、前記異常値の測定結果を前記医療機器に送信した後、無線通信を中断させた生体情報測定装置に対し、通信再開コマンドを送信することを特徴とするものである。
【発明の効果】
【００１２】
本発明の生体情報測定装置によれば、生体情報測定装置の測定結果が緊急を要するものであった場合は他の生体情報測定装置が無線通信を行っていた場合でも、測定結果を早いタイミングで送信することができる。
【発明を実施するための最良の形態】
【００１３】
以下に、本発明の生体情報測定装置の実施の形態を図面とともに詳細に説明する。
【００１４】
（実施の形態１）
以下、第１の実施の形態の生体情報測定装置の一例として、使用者の生体情報の１つである血糖値を測定する場合を挙げ、生体情報の算出値を必要とする外部機器を使用者の血糖情報を管理する医師や看護師等が所有する携帯管理端末とし、生体情報算出部を血糖値算出部として説明する。
【００１５】
図１は、本発明の第１の実施の形態における生体情報測定装置と周辺機器のブロック図を示す。図１において、本発明の生体情報測定装置２は、バイオセンサ１ から血糖値を算出する血糖値算出部２１と、携帯管理端末３にデータを送信する送信部２２と、携帯管理端末３からのデータを受信する受信部２３ と血糖値の算出に必要な情報を記憶する記憶部２４と算出した血糖値を表示する表示部２５からなる。さらに送信部２２はデータの送信を行う送信回路２２１ と、送信回路２２１と受信部２３の制御を行う通信制御回路２２２で構成される。
【００１６】
また、生体情報測定装置２は糖尿病を患う使用者が自らの血糖値を測定するために用いられるが、１日数回の測定が必要なため、外出時にも測定可能なように小型・軽量な携帯性に優れたものが広く普及している。電気化学式で使い捨て式のバイオセンサ１を生体情報測定装置２に接続し、血液をバイオセンサ１に点着する。生体情報測定装置２は血糖値算出部２１を用いて接続されたバイオセンサ１から血糖値を測定する。
【００１７】
血糖値算出部２１はバイオセンサ１の血糖値を算出し、算出した血糖値のデータを送信部２２、記憶部２４及び記憶部２４に出力する。
【００１８】
通信制御回路２２２は受信部２３に搬送波の受信電力（以下、ＲＳＳＩ（Ｒｅｃｅｉｖｅｄ  Ｓｉｇｎａｌ  Ｓｔｒｅｎｇｔｈ  Iｎｄｉｃａｔｏｒ）と称す） を取得するためのＲＳＳＩ取得コマンドを発行したり、携帯管理端末３から送信されるデータを受信するための受信開始コマンドを発行したりする。ま た、通信制御回路２２２は送信回路２２１に血糖値を送信するための血糖値送信コマンドを発行したり、周辺にある生体情報測定装置２の無線通信を中断させる ための送信中止コマンドを発行したりする。
【００１９】
送信回路２２１は通信制御回路２２２に制御され、携帯管理端末３などにデータを送信するものである。また、血糖値と誤り検出用データと通信継続情報からなるフォーマットの送信データを生成した後、その送信データを変調して先頭にプリアンブルパターン及びシンクパターンを付加して携帯管理端末３に対して送信する。
【００２０】
受信部２３はＲＳＳＩ取得コマンドを受け取ると搬送波のＲＳＳＩを取得したり、受信開始コマンドを受け取ると携帯管理端末３から送信されるデータを受信したりする。なお、受信部２３の詳細については後述する。
【００２１】
記憶部２４はバイオセンサ１の検出値に基づいて血糖値を算出するためのパラメータ情報、及び算出した血糖値のデータを格納する。
【００２２】
表示部２５は血糖値算出部２１から出力された血糖値のデータを表示する。
【００２３】
以下に生体情報測定装置２の内部ブロックの詳細な説明を行う。
図２に血糖値算出部２１のブロック図を示し、血糖値算出部２１の詳細な説明を行う。使い捨て式で電気化学式のバイオセンサ１をコネクタ２１１に挿入し、バイオセンサ１の作用極１１と対極１２間に配置されている酵素やメディエータ等からなる反応体１３に血液を点着すると、反応体１３が血液に溶解して酵素反応が進行する。次に演算増幅器２１２より、バイオセンサ１の作用極１１に接する電極２１１１とバイオセンサ１の対極１２に接する電極２１１２を介して作用極１１と対極１２に電圧を印加すると、血液中の糖濃度と相関のある電流が帰還抵抗２１３を通してバイオセンサ１に流れる。
【００２４】
ここで演算増幅器２１２の非反転入力端子２１２２は、基準電位２１４に接続されており、演算増幅器２１２は、非反転入力端子２１２２と反転入力端子２１２１を同電位に保とうと制御するので、帰還抵抗２１３の電流による降下分の電位を基準電位２１４に加算した電圧を出力端子２１２３に発生する。この作用によってバイオセンサ１に流れる電流に比例した電圧が出力端子２１２３に発生し、電流−電圧変換を行うことができる。出力端子２１２３に発生した電圧は、Ａ／Ｄ変換回路２１５によってデジタル値に変換され、演算回路２１６に送られてバイオセンサ１に流れた電流値から血中の糖濃度が計算され、送信部２２、記憶部２４及び表示部２５に転送される。
【００２５】
血中の糖濃度の計算に際しては、たとえば次のような処理がなされる。すなわち、予め工場で、コネクタ２１１の電極２１１１と電極２１１２間に、低糖濃度と高糖濃度に相当する電流を発生する２つの定電流源をそれぞれ接続し、各々のＡ／Ｄ変換値から、電流値とデジタル値の一次変換式を演算回路２１６で求めておく。その一次変換式の傾きａと切片ｂとは、前記Ａ／Ｄ変換回路から出力されるデジタル値と糖濃度とを関連づける情報であり、これを記憶部２４に記憶しておく。糖尿病患者が血糖値を測定する時には、演算回路２１６は、Ａ／Ｄ変換回路２１５から得られるデジタル値を、記憶部２４に記憶した一次変換式に当てはめることにより血中の糖濃度（以下、血糖値と称す）を計算する。算出された血糖値は送信部２２、記憶部２４及び表示部２５に転送される。
【００２６】
図３に受信部２３のブロック図を、図４に受信部２３の制御フローチャートを示し、受信部２３の詳細な説明を行う。
【００２７】
受信制御回路２３１は、送信部２２内部の通信制御回路２２２（図１に記載）から受信開始コマンドを受け取ると、受信回路２３２に電波を受信するように受信開始コマンドを発行する。そして、受信回路２３２は受信した信号から搬送波の検出、ゲインコントロール、及び中間周波数への変換等の処理を行い、処理後のデータをプリアンブル検出回路２３３、シンクパターン検出回路２３４及び復調回路２３５に転送する。同時に受信した搬送波の受信レベルを受信制御回路２３１へと転送する。受信制御回路２３１では転送された搬送波の受信レベルからＲＳＳＩを算出する（Ｓ１０１）。受信制御回路２３１は通信制御回路２２２からＲＳＳＩ取得コマンドを受け取った場合にもＲＳＳＩを算出し、通信制御回路２２２に算出したＲＳＳＩを出力する。
【００２８】
プリアンブル検出回路２３３は、プリアンブルパターンの検出を行い、プリアンブルパターンが検出できるとシンクパターン検出回路２３４に起動パルスを出力する（Ｓ１０２）。シンクパターン検出回路２３４はプリアンブル検出回路２３３からの起動パルスにより、受信回路２３２から出力される受信データからシンクパターンの検出を行う（Ｓ１０３）。
【００２９】
復調回路２３５はシンクパターン検出回路２３４が検出したシンクパターンを基準に受信データの復調を行い、復調後の受信データは受信レジスタ２３６に格納される。受信レジスタ２３６に受信データの中の誤り検出用データが格納されると受信レジスタ２３６は誤り検出回路２３７に対して起動パルスを出力する（Ｓ１０４）。誤り検出回路２３７は起動パルスを受け取ると、受信レジスタ２３６に格納されている生体情報測定装置２から送信されたデータに誤りが存在するかどうかのチェックを行い、結果を受信制御回路２３１に出力する。
【００３０】
受信制御回路２３１は、誤り検出回路２３７からの結果通知を受け取り、受信データに誤りが有るか否かを判定する（Ｓ１０５）。Ｓ１０５で受信データに誤りが検出された場合にはその旨を通信制御回路２２２に出力して受信動作を終了する。Ｓ１０５で受信データに誤りが検出されていない場合には、送信されたデータの特定の領域を確認する。そして、その特定の領域に無線通信の完了通知を示すコードが存在していた場合には、無線通信の完了通知有りを通信制御回路２２２に出力して受信動作を終了し、後述する通信中断コマンドを示すコードが存在していた場合に通信中断コマンド受信有りとし、ＲＳＳＩと通信中断コマンド受信有りを通信制御回路２２２に対して出力し（Ｓ１０６）、受信動作を終了する。
【００３１】
図５に送信部２２の制御フローチャートを示し、図１および図５を用いて送信部２２の詳細な説明を行う。
【００３２】
血糖値算出部２１から血糖値のデータが転送されると、通信制御回路２２２は受信部２３にＲＳＳＩ取得コマンドを発行する。ＲＳＳＩ取得コマンドを受け取った受信部２３はＲＳＳＩを通信制御回路２２２に出力する。通信制御回路２２２は受信部２３から得たＲＳＳＩが基準値より大きいか否かを判定する。受信部２３から得たＲＳＳＩが基準値よりも大きければ、周辺にある他の生体情報測定装置２が無線通信を行っていると判断し、基準値以下であれば、周辺にある他の生体情報測定装置２が無線通信を行っていないと判断する（Ｓ５０１）。ここでの基準値は周辺にある他の生体情報測定装置２が無線通信を行っていないと判定できるレベル（例えば、−８０ｄＢｍ以下）とする。
【００３３】
Ｓ５０１にて無線通信が行われていないと判断された場合には携帯管理端末３に対してデータ送受信ステップを実行する（Ｓ５０２）。なお、データ送受信ステップについては後述する。
【００３４】
Ｓ５０１にて無線通信が行われていると判断された場合には、通信制御回路２２２は測定した血糖値が基準値よりも大きいか否かを判定する（Ｓ５０３）。ここでの基準値は異常な血糖値のために昏睡や死亡する可能性がある値（例えば、４００ｍｇ／ｄｌ以上）とする。
【００３５】
Ｓ５０３にて測定した血糖値が基準値より大きい場合には、緊急を要するとして通信制御回路２２２は送信回路２２１に送信中止コマンドを発行する。送信中止コマンドを受け取った送信回路２２１は周辺にある他の生体情報測定装置２に対し、所定送信時間（例えば、２秒間）だけ通信中断コマンドを繰り返し送信する（Ｓ５０４）。そして、送信回路２２１が２秒間、通信中断コマンドの繰り返し送信を終えた後に、周辺にある他の生体情報測定装置２が緊急中断したことを確認するためにＳ５０１と同様、通信制御回路２２２は受信部２３にＲＳＳＩ取得コマンドを発行し、受信部２３から得たＲＳＳＩが基準値より大きいか否かを判定する（Ｓ５０５）。
【００３６】
Ｓ５０５にて無線通信が行われていると判断された場合には、再び周辺にある他の生体情報測定装置２の無線通信を緊急中断させるために所定送信時間（例えば、２秒間）だけ通信中断コマンドを繰り返し送信する（Ｓ５０４）。Ｓ５０５にて無線通信が行われていないと判断された場合には携帯管理端末３に対してデータ送受信ステップを実行する（Ｓ５０２）。
【００３７】
Ｓ５０３にて測定した血糖値が基準値以下の場合には、周辺にある他の生体情報測定装置２の無線通信が終了するまで待機し（Ｓ５０６）、その後データ送受信ステップを実行する（Ｓ５０２）。
【００３８】
次に、データ送受信ステップ（Ｓ５０２）について説明する。図６にデータ送受信ステップのフローチャートを示す。
【００３９】
Ｓ６０１にて、通信制御回路２２２は送信回路２２１に血糖値送信コマンドを発行する。血糖値送信コマンドを受け取った送信回路２２１は携帯管理端末３に対し、血糖値算出部２１から転送された血糖値データを所定の送信時間（１秒間）繰り返し送信する。
【００４０】
Ｓ６０２にて、送信回路２２１が１秒間繰り返し送信し終えた後、通信制御回路２２２は受信部２３に受信開始コマンドを発行する。そして、受信開始コマンドを受け取った受信部２３は所定の受信時間（例えば、１．５秒間）、受信処理を行い続ける。そして、Ｓ６０３にて、Ｓ６０２の１．５秒間の受信処理の中で受信部２３が受信したデータが通信中断コマンドか否かを判定する。受信したデータが通信中断コマンドであれば、無線通信を一時中断して再開するための無線通信の完了通知を受信するためにＳ６０６に移行する。受信したデータが通信中断コマンドでなければ、Ｓ６０４にて、Ｓ６０２の１．５秒間の受信処理の中で受信部２３が受信したデータが無線通信の完了通知か否かを判定する。受信したデータが無線通信の完了通知であれば、データ送受信ステップは終了する。受信したデータが無線通信の完了通知でなければ、血糖値の再送信を行うか判定するためにＳ６０５に移行する。
【００４１】
Ｓ６０５にて、Ｓ６０１の血糖値の送信処理とＳ６０２のデータ受信処理が所定回数（例えば、５回）繰り返されたか否かを判定する。Ｓ６０１の送信処理及びＳ６０２の受信処理が５回繰り返されていれば、データ送受信ステップは終了する。Ｓ６０１の送信処理及びＳ６０２の受信処理が５回繰り返されていなければ、血糖値を再送信するためにＳ６０１に移行する。
【００４２】
Ｓ６０６にて、通信制御回路２２２は受信部２３に受信開始コマンドを発行する。そして、受信開始コマンドを受け取った受信部２３は１．５秒間、受信処理を行い続ける。
【００４３】
Ｓ６０７にて、Ｓ６０６の１．５秒間の受信処理の中で受信したデータが無線通信の完了通知を判定する。受信したデータが無線通信の完了通知であれば、血糖値データの送信を再開するためにＳ６０１に移行する。受信したデータが無線通信の完了通知でなければ、再び無線通信の完了通知の受信処理を行うか否かを判定するためにＳ６０８に移行する。
【００４４】
Ｓ６０８にて、Ｓ６０６のデータ受信処理が所定回数（例えば、１０回）繰り返されたか否かを判定する。データ受信処理が１０回繰り返されていれば、血糖値データを再送信するためにＳ６０１に移行する。データ受信処理が１０回繰り返されていなければ、無線通信の完了通知を受信するためにＳ６０６に移行する。
【００４５】
図７は、本発明の第１の実施の形態における複数の生体情報測定装置と複数の携帯管理端末が存在する場合の例を示したものであり、２組の生体情報測定装置（３０ａ、３０ｂ）と携帯管理端末（４０ａ、４０ｂ）が存在している。このような状況は、病院等において、多数の患者とその患者達を分担して管理している複数の医師や看護師がそれぞれ携帯管理端末を所有している場合を想定している。
【００４６】
通常、２台の生体情報測定装置（３０ａ、３０ｂ）がそれぞれの携帯管理端末（４０ａ、４０ｂ）に対して同時に無線通信を行うと、放射されている電波が混信するため、携帯管理端末（４０ａ、４０ｂ）は生体情報測定装置（３０ａ、３０ｂ）から送信されたデータを正確に受信できなくなる。そのため、１台の生体情報測定装置３０ａが携帯管理端末４０ａに対して無線通信を開始すると、他の生体情報測定装置３０ｂは電波の混信を避けるため携帯管理端末４０ｂに対する無線通信を開始せずに待機しなければならない。
【００４７】
しかしながら、生体情報測定装置３０ｂは使用者の血糖値を測定し、その測定した血糖値が異常な値（例えば、４００ｍｇ／ｄｌ以上）だった場合は、早急に携帯管理端末４０ｂに対し、血糖値情報を送信し、携帯管理端末４０ｂを通じて使用者を管理している医師や看護師等に通知しなければならない。そこで、すでに無線通信している生体情報測定装置３０ａの無線通信を中断させて、優先的に異常な値の血糖値を送信させる。
【００４８】
図７においては、生体情報測定装置３０ａが血糖値（例えば、９８．２ｍｇ／ｄｌ）を携帯管理端末４０ａに無線通信している最中に生体情報測定装置３０ｂが血糖値（例えば、４５８ｍｇ／ｄｌ）を携帯管理端末４０ｂに無線通信する場合を示す。
【００４９】
まず、生体情報測定装置３０ａ及び携帯管理端末４０ａの動作に関して説明する。
生体情報測定装置３０ａは使用者Ａの血糖値の測定処理５０ａを行う。次に所定の受信時間（例えば、１．５秒）、受信処理５１ａを行うことにより他のデバイスが無線通信中かどうかの判定を行う。
【００５０】
また、図９の受信処理５１ａの段階では他のデバイスが無線通信を行ってなく高いレベルの搬送波を検出しないため、生体情報測定装置３０ａは他のデバイスが 無線通信を行っていないと判定する。他のデバイスが無線通信を行っていないと判定すると、生体情報測定装置３０ａは携帯管理端末４０ａに対して所定の送信時間（例えば、１ 秒）、測定した血糖値情報（正常値：９８．２ｍｇ／ｄｌ）を無線で送信する（送信処理５２ａ）。
【００５１】
携帯管理端末４０ａは無線通信時の消費電力を下げるために携帯端末が周期的（例えば、０．８秒）に受信処理６０ａを行っている。（受信処理６１ａ〜６７ａも同様）。受信処理６１ａにおいて生体情報測定装置３０ａから血糖値情報（正常値）を受信しようとするが、同時に生体情報測定装置３０ｂからの通信中断コマンドも受信するため、電波が混信してしまい受信に失敗してしまう。なお、生体情報測定装置３０ｂからの通信中断コマンドの送信については後述する。生体情報測定装置３０ａは１秒間の送信処理５２が終了すると、携帯管理端末４０ａからの無線通信の完了通知を受信する為に１．５秒間の受信処理５３ａを行う。携帯管理端末４０ａは受信処理６１ａにおいて血糖値の受信に失敗しているので、無線通信の完了通知の送信は行わない。
【００５２】
その結果、生体情報測定装置３０ａが受信処理５３ａを行っている間に送信を行っているのは生体情報測定装置３０ｂのみとなるので、生体情報測定装置３０ａは受信処理６２ａで生体情報測定装置３０ｂからの通信中断コマンドを混信なく受信することになる。
【００５３】
通信中断コマンドを受信すると生体情報測定装置３０ａは携帯管理端末４０ｂからの無線通信完了通知待ち状態になり、無線通信中断の解除待ち処理５４ａを行う。そして、携帯管理端末４０ｂからの無線通信の完了通知を受信すると、生体情報測定装置３０ａは１．５秒間の受信処理５５ａを行い、他のデバイスが無線通信を行っていないことを確認後、生体情報測定装置３０ａは先ほど中断した、血糖値情報（正常値）の送信を再開する（送信処理５６ａ）。１秒間の送信処理５６ａの後、携帯管理端末４０ａからの無線通信の完了通知を受信する為に１．５秒間の受信処理５７ａを開始する。携帯管理端末４０ａは、６６ａのタイミングで、生体情報測定装置３０ａからの血糖値情報（正常値）を受信すると、所定の送信開始時間６８ａ（例えば、１．２秒）経過後、生体情報測定装置３０ａに対して所定の送信時間（例えば、０．３秒間）、無線通信の完了通知６７ａを繰り返し送信する。
【００５４】
生体情報測定装置３０ａは、無線通信の完了通知を受信すると一連の血糖値情報の送信処理が終了する。
【００５５】
次に、生体情報測定装置３０ｂ及び携帯管理端末４０ｂの動作に関して説明する。生体情報測定装置３０ｂは使用者Ｂの血糖値の測定処理５０ｂを行う。次に１．５秒間の受信処理５１ｂを行うことにより他のデバイスが無線通信中かどうかの確認を行う。
【００５６】
図７の場合、生体情報測定装置３０ｂは生体情報測定装置３０ａが血糖値情報（正常値：９８．２ｍｇ／ｄｌ）を送信している電波から他のデバイスが無線通信を行っていることを判定する。また、生体情報測定装置３０ｂは異常値（４５８ｍｇ／ｄｌ）の血糖値を算出しているため、他のデバイスの無線通信を中断させるために血糖値を送信する際の送信処理に要する時間１秒よりも長い時間（例えば、２秒間）の通信中断コマンドの送信処理５２ｂを行い、通信中断コマンドを繰り返し送信する。
【００５７】
通信中断コマンドの送信処理５２ｂの後、生体情報測定装置３０ｂは１．５秒間の受信処理５３ｂに入り、他のデバイスからの電波を受信しないことから、他のデバイスの無線通信が中断したのを確認する。無線通信の中断が確認されると生体情報測定装置３０ｂは１秒間の送信処理５４ｂに入り血糖値情報（異常値：４５８ｍｇ／ｄｌ）を繰り返し送信する。
【００５８】
携帯管理端末４０ｂは受信処理６４ｂで血糖値情報（異常値：４５８ｍｇ／ｄｌ）を受信するので所定の送信開始時間６８ｂ（例えば１．２秒）経過後、生体情報測定装置３０ａに対して０．３秒間、無線通信の完了通知６５ｂを繰り返し送信する。送信終了後、血糖値計３０ｂは１．５秒間の受信処理５５ｂに入り携帯管理端末４０ｂから無線通信の完了通知を受信すると、一連の血糖値情報の送信処理が終了する。
【００５９】
以上のように、本発明の実施の形態１においては、測定した血糖値の値が異常な値だった場合に、周辺にある生体情報測定装置の無線通信状況を調べ、その無線通信状況に応じて、無線通信を中断させるための通信中断コマンドを送信することによって、緊急を要する血糖値情報を早急に送信することができる。
【００６０】
なお、実施の形態１では、送信中に他の生体情報測定装置からの通信中断コマンドによって無線通信中断の解除待ち状態になった場合、対応する携帯管理端末からの無線通信の完了通知を受け取ることにより送信を再開するが、無線通信を行っていた生体情報測定装置が通信再開コマンドを発行することにより送信を再開するようにしても良い。そのようにすることで、携帯管理端末の異常で完了通知が受信出来ない場合においても、通信中断を解除することが可能となる。
【産業上の利用可能性】
【００６１】
本発明にかかる生体情報測定装置は、複数の生体情報測定装置が存在する環境において、他の生体情報測定装置の無線通信を中断させることにより、緊急時に測定値を医療機器に送信する機能を有した無線機能つき測定機器等として有用である。
【図面の簡単な説明】
【００６２】
【図１】本発明の実施の形態１における生体情報測定装置と周辺機器のブロック図
【図２】本発明の実施の形態１における血糖値算出部のブロック図
【図３】本発明の実施の形態１における受信部のブロック図
【図４】本発明の実施の形態１における受信部の制御フローチャート
【図５】本発明の実施の形態１における送信部の制御フローチャート
【図６】本発明の実施の形態１における送受信ステップのフローチャート
【図７】本発明の実施の形態１における無線通信のシーケンスを示す図
【図８】従来の無線通信端末の無線通信の様子を表す図
【符号の説明】
【００６３】
１  バイオセンサ
２  生体情報測定装置
３  携帯管理端末
１１  バイオセンサの作用極
１２  バイオセンサの対極
１３  反応体
２１  血糖値算出部
２２  送信部
２３  受信部
２４  記憶部
２５  表示部
３０ａ  生体情報測定装置
３０ｂ  生体情報測定装置
４０ａ  携帯管理端末
４０ｂ  携帯管理端末
１００ａ  無線通信端末
１００ｂ  無線通信端末
１００ｃ  無線通信端末
２１１  コネクタ
２１２  演算増幅器
２１３  帰還抵抗
２１４  基準電位
２１５  Ａ／Ｄ変換回路
２１６  演算回路
２２１  送信回路
２２２  通信制御回路
２３１  受信制御回路
２３２  受信回路
２３３  プリアンブル検出回路
２３４  シンクパターン検出回路
２３５  復調回路
２３６  受信レジスタ
２３７  誤り検出回路
２１１１  バイオセンサの作用極に接する電極
２１１２  バイオセンサの対極に接する電極
２１２１  反転入力端子
２１２２  非反転入力端子
２１２３  出力端子
【図１】
2009150751.tif 000003
【図２】
2009150751.tif 000004
【図３】
2009150751.tif 000005
【図４】
2009150751.tif 000006
【図５】
2009150751.tif 000007
【図６】
2009150751.tif 000008
【図７】
2009150751.tif 000009
【図８】
2009150751.tif 000010